(57)【特許請求の範囲】
【請求項１】
ボウルを支持し、配水管と床下配管との接続部を隠蔽するキャビネットであって、
前記キャビネットはキャビネット本体と、前記キャビネット本体の下部に位置するキャビネット下部フレームとからなり、
前記キャビネット下部フレームはその前方を開口した開口部と、
前記開口部を覆い、左右に壁面を有する上面視略コ字形状をなす蹴込み部とを備え、
前記蹴込み部は前記キャビネット下部フレームに対して着脱自在であり、
前記蹴込み部の壁面の差込方向先端には、傾斜片と垂直片を有する上面視三角形状の突起部材が設けられており、
前記キャビネット下部フレームには突起受け部が設けられており、
前記突起部は、前記蹴込み部を前記開口部に向けて差し込む際に前記突起部の傾斜片が前記突起受け部に当接しながら突起受け部を乗り越え、且つ、前記蹴込み部を前記開口部に向けて差し込んだ後は突起部の垂直片が突起受け部に当接するよう構成されることを特徴とするトイレ手洗器用キャビネット
【請求項２】
前記蹴込み部は、上部に前記キャビネット下部フレームと係合する爪を、
床面と当接する下部に弾性部材を備えることを特徴とする請求項１に記載のトイレ手洗器
用キャビネット。
【発明の詳細な説明】
【技術分野】
【０００１】
本発明は、手洗器の載置されるキャビネットに係り、特に給水管や排水管などの配管が本体内に収納されるトイレ手洗器用キャビネットに関する発明である。 
【背景技術】
【０００２】
従来、トイレルームなどにおいて、洗面器や手洗器（以下、これらを総称して手洗器と呼ぶ）の下部にキャビネットが設けられ、給水管や排水管などの配管が収納されているものがあった。（例えば、特許文献１参照。）。 
建築側の給水管や排水管などの配管が床面から供給される場合、それらの配管はキャビネット内部を貫通し、キャビネット下と床面との間で床下の建築側の床下配管へと接続されているが、この接続部をメンテナンスするためには、キャビネット全体を取り外す必要がある等の課題があった。
【先行技術文献】
【特許文献】
【０００３】
【特許文献１】特開２００２−４３７２号公報
【特許文献２】特開２００３−２６８８３７号公報（第２図）
【発明の概要】
【発明が解決しようとする課題】
【０００４】
本発明は、上記問題を解決するためになされたもので、本発明の課題は、手洗器を載置するキャビネットにおいて、床下給水排水への接続部分のメンテナンスが容易なトイレ手洗器用キャビネットを提供することである。
【課題を解決するための手段】
【０００５】
上記目的を達成するために請求項１記載の発明によれば、ボウルを支持し、配水管と床下配管との接続部を隠蔽するキャビネットであって、前記キャビネットはキャビネット本体と、前記キャビネット本体の下部に位置するキャビネット下部フレームとからなり、前記キャビネット下部フレームはその前方を開口した開口部と、前記開口部を覆い、左右に壁面を有する上面視略コ字形状をなす蹴込み部とを備え、前記蹴込み部は前記キャビネット下部フレームに対して着脱自在であり、前記蹴込み部の壁面の差込方向先端には、傾斜片と垂直片を有する上面視三角形状の突起部材が設けられており、前記キャビネット下部フレームには突起受け部が設けられており、前記突起部は、前記蹴込み部を前記開口部に向けて差し込む際に前記突起部の傾斜片が前記突起受け部に当接しながら突起受け部を乗り越え、且つ、前記蹴込み部を前記開口部に向けて差し込んだ後は突起部の垂直片が突起受け部に当接するよう構成されるトイレ手洗器用キャビネットが提供される。
これによれば、キャビネットのケコミ部分を取り外すことで、簡単に手洗器の給水管、排水管と建築側の給水管、床下排水管との接続部分をメンテナンスできるようになる。また、キャビネット下部フレームと蹴込み部の着脱を特別な工具を用いずに行うことが出来るようになり、さらにメンテナンス性が向上すると共に、容易に蹴込み部が外れる事がない。
【０００６】
また、請求項２記載の発明によれば、前記蹴込み部は、上部に前記台座と係合する爪を、床面と当接する下部に弾性部材を備えるトイレ手洗器用キャビネットが提供される。
これによれば、爪と弾性部材によって、床面とキャビネットの寸法誤差、床の不陸などを吸収することが可能となり、寸法誤差によって蹴込み部の取り外しが難しくなることがない。
【発明の効果】
【０００８】
本発明によれば、手洗器の給水管、排水管のメンテナンスが容易になるという効果がある。
【図面の簡単な説明】
【０００９】
【図１】第一実施例におけるキャビネット１の側面図である。
【図２】第一実施例におけるキャビネット１の正面図である。
【図３】第一実施例における底板６の上面図である。
【図４】図２におけるＡ−Ａ断面図である。
【図５】第一実施例におけるキャビネット下部フレーム３の斜視図である。
【図６】第一実施例における蹴込み部４の斜視図である。
【図７】第一実施例における蹴込み部４を裏側からみた斜視図である。
【図８】第一実施例における蹴込み部４の突起部２３と、フレーム足１５取付方法の模式図である。
【図９】第二実施例におけるキャビネット１の側面図である。
【図１０】第二実施例における底板６の上面図である。
【図１１】第二実施例におけるキャビネット下部フレーム３の斜視図である。
【図１２】第二実施例における蹴込み部４の斜視図である。
【図１３】第二実施例における蹴込み部4を裏側からみた斜視図である。
【発明を実施するための形態】
【００１０】
本発明の第一の実施例について、以下に図を用いて説明する。
図１にキャビネット１の側面図を示す。
キャビネット１はキャビネット本体２と、その下方に位置するキャビネット下部フレーム３からなり、キャビネット下部フレーム３には着脱可能に蹴込み部４が取り付けられている。キャビネット１はその背面を壁面５に固定されており、その前面にはキャビネット扉１３が取り付けられ、開閉可能となっている。
【００１１】
図２にキャビネット１の正面図を示す。なお、図２は内部の様子を描写するために、一部部材を省略して示す。
キャビネット下部フレーム３の上面には底板６が取り付けられており、キャビネット１内部に物品が収納可能に構成されている。キャビネット１の上方には手洗器７が載置されており、手洗器７には手洗器用水栓８が取り付けられてる。
手洗器７の水栓に接続された給水配管９と排水部に接続された排水配管１０がキャビネット１内部を貫いて、図示していない床下配管に接続されている。
【００１２】
図３に底板６の上面図を示す。底板６は上面視、半円形をしており、排水配管１０と給水管９を貫通させるための貫通孔１１ａ、１１ｂが設けられている。また、その背部には、底板を取り外す際に指を掛ける指掛け部１２が設けられている。
【００１３】
図４に図２におけるＡ−Ａ断面図を示す。キャビネット１は前面がＲのついた円弧となっており、キャビネット扉１３もＲのついた円弧形状である。
図４（ａ）は底板６を取り付けていない状態のＡ−Ａ断面図である。キャビネット下部フレーム３には排水配管１０と給水配管９を通すために、中空部１４が設けられている。
図４（ｂ）は底板６を取り付けた状態のＡ−Ａ断面図である。前述の中空部１４を覆うように底板６が取り付けられ、底板６の上に物品を載置することが可能となる。
【００１４】
図５にキャビネット下部フレーム３の斜視図を示す。
キャビネット下部フレーム３は設置場所の床に当接するフレーム足１５と、フレーム足１５に支えられるステージ１６からなる。ステージ１６にはダボ１７が設けらており、このダボ１７を利用してキャビネット下部フレーム３とキャビネット本体２を係合させる。中空部１４の後方には底板６を取り外す際に指をいれる指挿入部１８が設けられている。
また、キャビネット下部フレーム３の前方は給水配管９、排水配管１０と床下配管の接続部をメンテナンスできるように、開口部１９が形成されている。この開口部１９は通常、蹴込み部４によって閉塞される。なお、開口部１９の上方には蹴込み部４を係止するための爪係り部２０が設けられている。
【００１５】
図６に蹴込み部４の斜視図を示す。蹴込み部４はキャビネット１に係合した際に違和感がないように、その前面をキャビネット１と同様にＲのついた円弧形状としている。また、前述のキャビネット下部フレーム３に設けられた爪係り部２０に係止するための爪２１がその上部に設けられている。
【００１６】
図７に蹴込み部４を裏からみた斜視図を示す。蹴込み部４の下部には弾性片２２が設けられており、弾性片２２は上下方向にある程度の弾性を有する。この弾性片２２と爪２１の弾性によって、キャビネット下部フレーム３の開口部１９上辺と、床面との不陸・寸法誤差が吸収される構造となっている。
また、蹴込み部４の差込方向左右先端付近には、上面視三角形状の突起部２３が設けられている。
【００１７】
図８に蹴込み部４の突起部２３と、フレーム足１５の取付方法の模式図を示す。
図８（ａ）に示したように、フレーム足１５の後方は傾斜を持っており、上面視台形状の台形部２４を備えている。
突起部２３をもつ蹴込み部４を前方から差し込んだ場合を図８（ｂ）に示す。突起部２３はその傾斜辺が、フレーム足１５の台形部２４前方の傾斜面に当接しながら、台形部２４を乗り越えて、最奥部まで差し込まれる。
蹴込み部４がキャビネット下部フレーム３に差し込まれた状態を図８（ｃ）に示す。差し込まれた状態においては、突起部２３の垂直辺がフレーム足１５と当接しているため、容易に蹴込み部４が外れる事がない。
【００１８】
次に、本発明における第二実施例を図を用いて説明する。なお、第一実施例と同じ部材には同じ符号を付し、説明を省略する。
図９に本発明の第二実施例におけるキャビネット１の正面図を示す。第二実施例において手洗器水栓８は手洗器７とは別途、キャビネット１の天板上に載置されている。なお、このキャビネット１は略直方体形状の箱型キャビネットとなっており、キャビネット扉１３は略直線形状となっている。
【００１９】
図１０に、第二実施例におけるキャビネット下部フレーム３を示す。第二実施例のキャビネット扉１３が略直線形状であることに対応して、キャビネット下部フレーム３もその前面が略直線形状となっている。このように、キャビネット下部フレーム３の形状はキャビネット１やキャビネット扉１３の形状に対応して適宜設計変更することができる。
【００２０】
図１１に第二実施例の底板６を示す。キャビネット下部フレーム３のステージ１６に対応して、上面視略長方形状となっている。また、排水配管１０と給水管９を貫通させるための貫通孔１１ａ、１１ｂが対応する位置に設けられている。このように、底板６の形状及び貫通孔１１ａ、１１ｂの位置は下部フレーム３やステージ１６、キャビネット１の設計に合わせて、適宜設計変更することができる。
【００２１】
図１２に第二実施例における蹴込み部４の前面を、図１３に裏面を示す。キャビネット下部フレーム３に対応して、蹴込み部４も前面が略直線形状となっている。前述のキャビネット下部フレーム３に設けられた爪係り部２０に係止するための爪２１が上部二箇所に設けられている。これは、キャビネット下部フレーム３の前面が直線形状であるために、係る力を分散及び蹴込み部４を安定嵌合させるための措置である。このように、キャビネット下部フレーム３やキャビネット１の設計に合わせて、爪係り部２０や爪２１を設ける箇所・数を適宜設計変更することができる。弾性片２２の形状、数、設ける箇所についても同様に、設計変更することが可能である。
【００２２】
本発明は上記の実施例に限られるものではなく、本発明から逸脱しない範囲において自由に設計変更することが可能なものである。例えば、実施例中に示した以外に、指挿入部１８の位置、数、形状を変更しても問題ない。
【符号の説明】
【００２３】
１…キャビネット
２…キャビネット本体
３…キャビネット下部フレーム  ４…蹴込み部４
５…壁面
６…底板
７…手洗器
８…手洗器用水栓
９…給水配管
１０…排水配管
１１ａ…貫通孔
１１ｂ…貫通孔
１２…指掛け部
１３…キャビネット扉
１４…中空部
１５…フレーム足
１６…ステージ
１７…ダボ
１８…指挿入部
１９…開口部
２０…爪係り部
２１…爪
２２…弾性片
２３…突起部
２４…台形部
【図１】
0005522588.tif 000002
【図２】
0005522588.tif 000003
【図３】
0005522588.tif 000004
【図４】
0005522588.tif 000005
【図５】
0005522588.tif 000006
【図６】
0005522588.tif 000007
【図７】
0005522588.tif 000008
【図８】
0005522588.tif 000009
【図９】
0005522588.tif 000010
【図１０】
0005522588.tif 000011
【図１１】
0005522588.tif 000012
【図１２】
0005522588.tif 000013
【図１３】
0005522588.tif 000014